【事件の表示】
　平成　９年特許願第１８８１１６号「枚葉輪転印刷機の排紙装置」拒絶査定不服審判事件〔平成１１年　２月　９日出願公開、特開平１１−　３４２９４〕について、次のとおり審決する。
【結　論】
　本件審判の請求は、成り立たない。
【理　由】
１．手続の経緯
　本願は、平成９年７月１４日に出願したものであって、平成１７年４月２７日付けで拒絶査定がなされ、これに対し、同年６月９日付けで拒絶査定に対する審判請求がなされたものである。
　
２．本願発明
　本願請求項１に係る発明（以下、「本願発明」という。）は、平成１７年２月４日付けの手続補正によって補正された特許請求の範囲（全請求項数５）の請求項１に記載された事項により特定される以下のとおりのものである。
「搬送チェーンに設けられ紙をくわえる紙くわえ装置と、この紙くわえ装置による紙のくわえを解放する紙放し部材と、前記紙くわえ装置から解放された紙を積載する排紙積載装置と、紙放し部材の低速域での紙放し位置と紙放し部材の高速域での紙放し位置を印刷速度に応じて設定する制御装置とを備えた枚葉輪転印刷機の排紙装置において、前記制御装置は、紙放し部材の低速域での紙放し位置の設定変更にともなって紙放し部材の高速域での紙放し位置の設定位置を同じ方向に変更し、紙の重量が軽いときには前記紙放し部材の低速域での紙放し位置の設定を前記搬送チェーンによる紙搬送方向へ変更し、紙の重量が重いときには前記紙放し部材の低速域での紙放し位置の設定を前記搬送チェーンによる紙搬送方向とは反対の方向へ変更することを特徴とする枚葉輪転印刷機の排紙装置。」
　
３．引用刊行物
　（ａ）原査定の拒絶の理由に引用された刊行物である実願平３−５４５３２号（実開平４−１３７８４３号）のマイクロフィルム（以下、「刊行物」という。）には、以下の記載が図示とともにある。
ア．【請求項１】  紙端をくわえる排紙爪を有し該排紙爪のくわえた紙を走行により搬送する排紙チェーンと、排紙積載装置の上方に位置して前記排紙チェーンの走行経路内に設けられ、前記排紙爪に係合してこれを開閉させる紙放しカムと、前記排紙爪に対する前記紙放しカムの係合位置を調整する調整機構とを備えた枚葉印刷機の排紙装置において、前記調整機構を電動あるいは油圧駆動部により駆動するようになし、印刷速度を検出する検出手段を設けると共に、検出された印刷速度にもとづいて前記駆動部を制御する制御手段を備えることにより、印刷速度に応じて前記紙放しカムの紙放し位置を自動調整可能としたことを特徴とする枚葉印刷機の排紙装置。（以下、請求項１に記載された発明を「刊行物記載の発明」という。）
イ．【００１３】このような排紙動作においても、前述したように、同じ位置で爪８を開いても、印刷速度、すなわち慣性力により落下する紙１２の姿勢が微妙に変化して紙揃いが悪くなる。
ウ．【００２５】メモリ１４３には、図８に示すような特性にもとづいて駆動用モータ１３２の回転数とある位置を基準値０とした係合位置との一対一の対応テーブル表が記憶されている。データ入力部１４４は、上述した対応テーブル表を入力したり、変更したりする場合に使用される。マイクロコンピュータ１４２は、ポテンショメータ１３１からの信号で現在の係合位置ＰＰを知ると共に、タコジェネレータ１３３からの信号で最適な係合位置ＰＥを知り、位置ＰＥと位置ＰＰとのずれ量を算出してこのずれ量を０とするような駆動制御信号をモータ１２０に送出する。なお、ずれ量が正の場合モータ１２０を正転させ、負の場合には逆転させるというようにする。
エ．【００２６】なお、メモリ１４３に記憶させる対応テーブル表は一種類だけでなく、検出対象に応じて複数種類記憶させ、データ入力部１４４でどの対応テーブル表を用いるかを選択できるようにすることで汎用性を持たせることもできる。また、印刷速度は、印刷機本体の駆動用モータの回転数だけでなく、他の構成要素の速度から印刷速度を割り出すようにしても良い。
　
　（ｂ）原査定の拒絶の理由に技術常識として引用された刊行物である実願平４−８６８４０号（実開平６−４２１７４号）のＣＤ−ＲＯＭ（以下、「周知文献１」という。）には、以下の記載が図示とともにある。
オ．【０００２】
    【従来の技術】
・・・また、紙放しカムは紙の搬送方向へ移動調整する調整装置が付設されて、印刷速度、紙のサイズ、紙の厚さあるいは紙の材質によって最適な紙放し位置および紙放しのタイミングを選択して、積載時の紙の不揃いや排紙部における紙の詰まりを防止している。
　
　（ｃ）平成１７年４月２７日付け拒絶査定の備考に示された実願昭６２−１３９３５６号（実開昭６４−４５６４５号）のマイクロフィルム（以下、「周知文献２」という。）には、以下の記載が図示とともにある。
カ．「このような紙放し装置において、印刷速度が高速の場合には、走行慣性が大きいために紙放しが遅れると走行慣性の残っている紙の先端が紙当てに当たって傷ついたり積載時の揃いが悪くなったりするので、紙放し時期を早める必要がある。また、印刷速度が低速の場合には、走行慣性が小さくてその影響が小さいので、紙揃えを良好にするためには、紙放し時期をなるべく遅らせて紙当てに近いところで紙を放す必要がある。」（第３頁第３〜１１行）
　
　（ｄ）同じく拒絶査定の備考に示された特開平６−１２７７９４号公報（以下、「周知文献３」という。）には、以下の記載が図示とともにある。
キ．【０００９】図２はパドルユニット１の用紙押し付け力と用紙不揃い量の関係を示す説明図である。横軸にパドルユニット１の用紙押し付け力を、縦軸に用紙不揃い量をとって示す。（ａ）はＡ４連量５５ｋｇ紙の場合のパドルユニット１の用紙押し付け力とスタック用紙の不揃い量の関係を示した特性図である。ここに示すＡ領域はパドルユニット１の用紙押し付け力が小さすぎ、すなわち、用紙ブレーキ力が小さく、ストッパ１０部で跳ね返りを生じ、Ｃ領域はパドルユニット１の用紙押し付け力が多きすぎて過負荷となり、用紙がストッパ１０部まで到達せずどちらも用紙の不揃い量は大きい。従って、用紙の不揃い量が小さく安定しているＢ領域の用紙押し付け力に設定することが望ましい。また、図２（ｂ）はＡ４連量５５ｋｇ紙、９０ｋｇ紙、１３５ｋｇ紙のパドルユニット１の用紙押し付け力とスタック用紙の不揃い量の関係を示したものである。連量が大きくなるにつれてこの関係も用紙押し付け力が大きい方へ移行する。
　
４．対比
　本願発明と刊行物記載の発明とを比較すると、刊行物記載の発明の「排紙チェーン」、「紙端をくわえる排紙爪」及び「紙放しカム」は、それぞれ本願発明の「搬送チェーン」、「紙をくわえる紙くわえ装置」及び「紙放し部材」に相当し、刊行物記載の発明の「紙放しカム」は、排紙爪に係合してこれを開閉させるものであるから、紙くわえ装置による紙のくわえを解放するものといえ、刊行物記載の発明の「排紙積載装置」が、排紙爪（紙くわえ装置）から解放された紙を積載するものであることは明らかであり、刊行物記載の発明の「制御手段」は、排紙爪に対する紙放しカムの係合位置を調整する調整機構を電動あるいは油圧駆動部により駆動し、印刷速度を検出する検出手段で、検出された印刷速度にもとづいて前記駆動部を制御するものであるから、紙放し部材の低速域での紙放し位置と紙放し部材の高速域での紙放し位置を印刷速度に応じて設定する制御装置といえる。
　また、刊行物記載の発明の「枚葉印刷機」と本願発明の「枚葉輪転印刷機」は、いずれも「枚葉印刷機」の点で共通するから、両者は、
「搬送チェーンに設けられ紙をくわえる紙くわえ装置と、この紙くわえ装置による紙のくわえを解放する紙放し部材と、前記紙くわえ装置から解放された紙を積載する排紙積載装置と、紙放し部材の低速域での紙放し位置と紙放し部材の高速域での紙放し位置を印刷速度に応じて設定する制御装置とを備えた枚葉印刷機の排紙装置。」
の点で一致し、以下の点で相違している。
［相違点１］本願発明は、枚葉輪転印刷機の排紙装置であるのに対し、刊行物記載の発明は、枚葉印刷機の排紙装置である点。
［相違点２］制御装置に関し、本願発明は、紙放し部材の低速域での紙放し位置の設定変更にともなって紙放し部材の高速域での紙放し位置の設定位置を同じ方向に変更し、紙の重量が軽いときには前記紙放し部材の低速域での紙放し位置の設定を搬送チェーンによる紙搬送方向へ変更し、紙の重量が重いときには前記紙放し部材の低速域での紙放し位置の設定を前記搬送チェーンによる紙搬送方向とは反対の方向へ変更するのに対し、刊行物記載の発明は、そのように特定されていない点。
　
５．判断
　上記相違点１について検討する。
　枚葉輪転印刷機は、枚葉印刷機の一般的な種類として、例示するまでもなく周知技術であり、該周知技術を刊行物記載の発明に採用して上記相違点１のような構成とすることは当業者が容易になし得る程度のことである。
　
　上記相違点２について検討する。
　本願発明の「制御装置は、・・・紙の重量が軽いときには・・・へ変更し、紙の重量が重いときには・・・へ変更する」の記載によると、紙の重量の設定がどのように行われるのか必ずしも明らかではないが、本願明細書段落【００１６】の「先ず、Ｓ６０において、低速域入力部４１によって低速域での紙放しカム３３の位置を設定する。この場合、排紙される紙が薄紙なのか厚紙なのかによって異なり、例えば、薄紙の場合には、低速域入力部４１によって入力されると、Ｓ６１において、制御装置４５は、薄紙の低速域での紙放し位置を設定するとともに、高速域での紙放し位置を設定する。」との記載、段落【００２０】の「次に、紙が厚紙の場合を説明する。先ず、Ｓ６０において、低速域入力部４１によって厚紙の低速域での紙放しカム３３の位置を設定する。」との記載によると、紙の重量は、操作者が低速域入力部４１に入力することによって、設定されるものと認められる。
　一方、刊行物の前記ウ．の「データ入力部１４４は、上述した対応テーブル表を入力したり、変更したりする場合に使用される。」前記エ．の「メモリ１４３に記憶させる対応テーブル表は一種類だけでなく、検出対象に応じて複数種類記憶させ、データ入力部１４４でどの対応テーブル表を用いるかを選択できるようにすることで汎用性を持たせることもできる。」との記載によると、制御装置の一部であるメモリ１４３に複数の対応テーブル表を記憶させることができ、データ入力部１４４で該対応テーブル表を選択できる、即ち、データ入力部１４４で操作者が入力することにより複数の対応テーブル表を設定できることが記載されており、刊行物の前記イ．に示すように、慣性力が紙揃いに影響すること、周知文献１に示すように、紙のサイズ、紙の厚さあるいは紙の材質によって最適な紙放し位置および紙放しのタイミングを選択すべきであり、周知文献２、３に示すように、走行慣性が小さい状態で紙の先端が紙当てに当たるべきであって、周知文献３に示すように、紙の重量が重い程ブレーキ力を要する、即ち、紙の重量が重い程慣性力があることが周知技術であって、更に、枚葉印刷機の排紙装置が複数の重量の紙に対応できることは当然の要求であるから、複数の重量の紙に対応できるように、刊行物記載の発明の制御装置に、複数の重量の紙に応じた対応テーブル表を記憶させ、紙の重量に応じて、データ入力部１４４で対応テーブル表を設定できるようにすることは当業者が容易になし得る程度のことである。
　そして、周知文献１〜３によると、紙の重量が軽いときには、慣性力が小さいから、紙放し位置は、紙搬送方向の下流側とすべきで、紙の重量が重いときには、慣性力が大きいから、紙放し位置は、紙搬送方向の上流側とすべきことは明らかであり、紙の重量が重い場合であろうと、軽い場合であろうと、印刷速度が速い程、紙の慣性力は大きくなるから、紙放し位置は、紙搬送方向の上流側とすべきであって、刊行物記載の発明の制御装置に記憶される複数のテーブル表は、本願発明のように、紙放し部材の低速域での紙放し位置の設定変更にともなって紙放し部材の高速域での紙放し位置の設定位置を同じ方向に変更し、紙の重量が軽いときには前記紙放し部材の低速域での紙放し位置の設定を前記搬送チェーンによる紙搬送方向へ変更し、紙の重量が重いときには前記紙放し部材の低速域での紙放し位置の設定を前記搬送チェーンによる紙搬送方向とは反対の方向へ変更するようなものとすべきことは当然である。
　よって、本願発明の上記相違点２のような構成とすることは当業者が容易になし得る程度のことである。
　
　そして、本願発明の作用効果も、刊行物記載の発明及び周知技術から当業者が予測できる範囲のものである。
　
６．むすび
　以上のとおり、本願発明は、刊行物記載の発明及び周知技術に基づいて、当業者が容易に発明をすることができたものであるから、特許法第２９条第２項の規定により特許を受けることができないから、他の請求項に係る発明を検討するまでもなく、本願は、拒絶すべきものである。
　よって、結論のとおり審決する。